(57)【特許請求の範囲】
【請求項１】
半導体チップが実装された基板を撮影するカメラと、
前記カメラにより撮影された基板撮影映像で検査対象ワイヤー部分を検出する映像処理部と、
前記検出された検査対象ワイヤー部分が正常に連結されているか否かの判断基準となる基準データを保存する保存部と、
前記検査対象ワイヤー部分の角度と基準データを用いてワイヤーが正常に連結されているか否かを判断する正常判断部と、を含み、
前記検査対象ワイヤー部分は、ワイヤーのボール部分とスティッチ部分であり、前記基準データは、前記ボール部分の方向と前記スティッチ部分の方向とがなす角度に対する誤差許容角度を含み、
前記正常判断部は、前記ボール部分の方向と前記スティッチ部分の方向とがなす角度が前記誤差許容角度以内である場合、正常に連結されていると判断することを特徴とするワイヤーボンディング検査システム。
【請求項２】
前記誤差許容角度は、ワイヤーの長さが短いほど大きくなることを特徴とする、請求項１に記載のワイヤーボンディング検査システム。
【請求項３】
前記カメラの高さを調整するカメラ駆動部と、
前記カメラが高さを異にしながら複数の基板撮影映像を撮影するように前記カメラ駆動部を制御する制御部と、をさらに含むことを特徴とする、請求項１に記載のワイヤーボンディング検査システム。
【請求項４】
前記カメラの高さは、前記カメラの被写界深度と前記検査対象ワイヤー部分の高さに基づいて設定されることを特徴とする、請求項３に記載のワイヤーボンディング検査システム。
【請求項５】
半導体チップが実装された基板をカメラを用いて撮影する段階と、
前記カメラにより撮影された基板撮影映像で検査対象ワイヤー部分を検出する段階と、
検出された前記検査対象ワイヤー部分の角度と基準データを用いてワイヤーが正常に連結されているか否かを判断する段階と、を含み、
前記検査対象ワイヤー部分は、ワイヤーのボール部分とスティッチ部分であり、前記基準データは、前記ボール部分の方向と前記スティッチ部分の方向とがなす角度に対する誤差許容角度を含み、前記ボール部分の方向と前記スティッチ部分の方向とがなす角度が前記誤差許容角度以内である場合、正常に連結されていると判断することを特徴とするワイヤーボンディング検査方法。
【請求項６】
前記誤差許容角度は、ワイヤーの長さが短いほど大きくなることを特徴とする、請求項５に記載のワイヤーボンディング検査方法。
【請求項７】
前記半導体チップが実装された基板を撮影する段階は、
前記カメラが撮影高さを異にしながら複数の基板撮影映像を撮影する段階を含むことを特徴とする、請求項５に記載のワイヤーボンディング検査方法。
【請求項８】
前記カメラの撮影高さは、前記カメラの被写界深度と前記検査対象ワイヤー部分の高さに基づいて設定されることを特徴とする、請求項７に記載のワイヤーボンディング検査方法。
【発明の詳細な説明】
【技術分野】
【０００１】
本発明は、ワイヤーボンディング検査システムおよび方法に関し、より詳しくは、２次元映像でワイヤーがボンディングされた方向を用いてワイヤーの正常ボンディングの良否を判断するようにすることによって、ワイヤーボンディング検査の正確性を向上させ、工程を簡単化することができるワイヤーボンディング検査システムおよび方法に関する。
【背景技術】
【０００２】
一般に電子部品には半導体チップが実装された基板が用いられ、半導体チップはウエハー上に入出力端子であるボンディングパッドが形成され、このように製造された半導体チップは基板に実装される。
【０００３】
半導体チップを実装する工程は、半導体チップを個別化する工程と、個別化した半導体チップを基板上に付着する工程と、半導体チップと基板を導電性ワイヤーで連結する工程と、半導体チップをモールディングする工程とを含む。
【０００４】
ここで半導体チップと基板を導電性ワイヤーで連結する工程は、数〜数十μｍの直径を有する導電性ワイヤーを用いて半導体チップに形成されたボンディングパッドと、基板に形成された接続パッドとを電気的に連結する工程である。このようなワイヤーボンディング工程の途中または以降に基板を検査する工程が行われ、この時、ワイヤーが正常にボンディングパッドと接続パッドとを連結しているかを検査するようにしている。
【０００５】
このようにワイヤーの連結状態を検査するために、従来は２次元映像検査と３次元映像検査が行われていた。３次元映像検査の場合、ワイヤーを３次元的に検査することができるため、検査性能は良好であるが、時間が比較的に多くかかって実際の生産ラインで全数検査を実施するには困難があった。
【０００６】
一方、２次元映像検査のためには、カメラで基板の撮影時、検査対象がよく見えるように照明装置を使用し、照明の照度や照射位置を考慮しなければならなかった。それにもかかわらず、撮影された映像では半導体チップのボンディングパッドと基板上の接続パッドとの間に各種部品が存在するため、ワイヤーと明確に区分されない場合が多い。かかる場合、正確なワイヤーの連結状態を把握できないため、検査結果にエラーが発生することがある。また、照明装置の照度や照射位置による映像の歪曲、検査プログラムの実現者の熟練度や作業環境により検査結果にエラーが発生して、検査性能が低下するようになる。
【０００７】
そのために、簡単な方法で２次元映像検査を用いて検査時間を短縮させるだけでなく、検査性能を向上させることができる新たな方法に対する必要性が高まっている。
【発明の概要】
【発明が解決しようとする課題】
【０００８】
したがって、本発明が解決しようとする課題は、２次元映像でワイヤーがボンディングされた方向を用いてワイヤーのボンディングが正常になされているか否かを判断するようにすることによって、ワイヤーボンディング検査の正確性を向上させ、工程を簡単化することができるワイヤーボンディング検査システムおよび方法を提供することにある。
【課題を解決するための手段】
【０００９】
上記の技術的課題を解決するための本発明の一実施形態に係るワイヤーボンディング検査システムは、半導体チップが実装された基板を撮影するカメラと、前記カメラにより撮影された基板撮影映像で検査対象ワイヤー部分を検出する映像処理部と、前記検出された検査対象ワイヤー部分が正常に連結されているか否かの判断基準となる基準データを保存する保存部と、前記検査対象ワイヤー部分の角度と基準データを用いてワイヤーが正常に連結されているか否かを判断する正常判断部と、を含む。
【００１０】
前記検査対象ワイヤー部分は、ワイヤー別に少なくとも二つの部分以上であり、前記基準データは、前記検査対象ワイヤー部分が正常に連結された時に対応する正常連結角度を含み、前記正常判断部は、前記検査対象ワイヤー部分の角度と前記正常連結角度との差が誤差許容範囲以内である場合、正常に連結されていると判断することができる。
【００１１】
前記検査対象ワイヤー部分は、ワイヤーのボール部分とスティッチ部分であり、前記基準データは、前記ボール部分の方向と前記スティッチ部分の方向とがなす角度に対する誤差許容角度を含み、前記正常判断部は、前記ボール部分の方向と前記スティッチ部分の方向とがなす角度が前記誤差許容角度以内である場合、正常に連結されていると判断することもできる。
【００１２】
前記誤差許容角度は、ワイヤーの長さが短いほど大きくなることが好ましい。
【００１３】
前記システムは、前記カメラの高さを調整するカメラ駆動部と、前記カメラが高さを異にしながら複数の基板撮影映像を撮影するように前記カメラ駆動部を制御する制御部と、をさらに含むことができる。
【００１４】
前記カメラの高さは、前記カメラの深度と前記検査対象ワイヤー部分の高さに基づいて設定され得る。
【００１５】
上記の技術的課題を解決するための本発明の他の実施形態に係るワイヤーボンディング検査方法は、半導体チップが実装された基板を撮影する段階と、前記カメラにより撮影された基板撮影映像で検査対象ワイヤー部分を検出する段階と、検出された前記検査対象ワイヤー部分の角度と基準データを用いてワイヤーが正常に連結されているか否かを判断する段階と、を含む。
【００１６】
前記半導体チップが実装された基板を撮影する段階は、前記カメラが撮影高さを異にしながら複数の基板撮影映像を撮影する段階を含むことができる。
【００１７】
本発明の他の実施形態に係るコンピュータで読み取り可能な媒体は、前記方法のいずれか一つをコンピュータに実行させるためのプログラムを記録する。
【発明の効果】
【００１８】
本発明によると、２次元映像でワイヤーがボンディングされた方向を用いて、ワイヤーのボンディングが正常になされているか否かを判断するようにすることによって、ワイヤーボンディング検査の正確性を向上させ、工程を簡単化することができる。特に、ワイヤーが直線で連結される場合には、簡単にワイヤーの両端部のみを検査して、比較的に簡単且つ迅速にワイヤーが正常に連結されているか否かを検査することができる。また、ワイヤーが曲線で連結される場合にも、２次元映像でワイヤーのボンディングが正常になされているか否かを判断することができる。同時に、複雑なオートフォーカシング技術を適用することもなく、簡単に基板に装着された多様な検査対象部分を正確に検査することができるという長所がある。
【図面の簡単な説明】
【００１９】
【図１】本発明の一実施形態に係るワイヤーボンディング検査システムにより検査される基板を例示した図面である。
【図２】本発明の一実施形態に係るワイヤーボンディング検査システムの構成を説明するためのブロック図である。
【図３】本発明の第１実施形態に係るワイヤーボンディング検査方法を説明するための図面である。
【図４】本発明の第２実施形態によるワイヤーボンディング検査方法を説明するための図面である。
【図５】本発明の一実施形態に係るワイヤーボンディング検査システムにより検査される基板を側面から例示した図面である。
【図６】本発明の一実施形態に係るワイヤーボンディング検査システムの動作を説明するためのフローチャートである。
【発明を実施するための形態】
【００２０】
以下、添付図面を参照して本発明の実施形態について、本発明が属する技術分野における通常の知識を有する者が容易に実施することができるように、詳しく説明する。
【００２１】
図１は、本発明の一実施形態に係るワイヤーボンディング検査システムにより検査される基板を例示した図面である。
【００２２】
図１を参照すると、基板１には半導体チップ１０を始めとする多様な部品が実装され、図１には半導体チップ１０が実装された基板１の一部領域を撮影した映像が示されている。
【００２３】
基板１は、配線が形成された印刷回路基板（ＰＣＢ）セラミック基板から形成されてもよく、基板１には、半導体チップ１０が実装されており、基板１と半導体チップ１０は、導電性のワイヤー２０により連結され得る。
【００２４】
基板１には、配線に連結された複数の接続パッド５が形成されており、複数の接続パッド５は半導体チップ１０の周り方向に沿って一定の間隔を置いて配置されている。半導体チップ１０にもチップ１０内の回路に連結された複数のボンディングパッド１５が形成されており、複数のボンディングパッド１５は半導体チップ１０の上面または半導体チップ１０の側面に沿って配置され得る。接続パッド５は、ボンディングパッド１５よりも大きく形成され得る。接続パッド５とボンディングパッド１５は、半導体チップ１０と基板１を連結するワイヤー２０により電気的に連結され得る。
【００２５】
このような接続パッド５とボンディングパッド１５を連結するワイヤー２０は、ループ部２５と、ボール２１と、スティッチ部２３とを含むことができる。
【００２６】
ボール２１は、ボール形状でワイヤー２０の一端に形成され、半導体チップ１０のボンディングパッド１５に電気的に連結される。
【００２７】
スティッチ部２３は、ワイヤー２０の他端に形成され、基板１の接続パッド５に電気的に連結される。スティッチ部２３は、平面で見ると入口が広い「Ｕ」字形状で形成され、側面で見るとループ部２５に連結される部分が上向きに折り曲げられ得る。
【００２８】
ループ部２５は、ボール２１とスティッチ部２３を連結するライン形状で形成され、直線または曲線で形成され得る。
【００２９】
ワイヤー２０のボール２１とスティッチ部２３は、それぞれ、半導体チップ１０と基板１に半田付けなどにより電気的に連結され、ループ部２５は、ボール２１とスティッチ部２３を連結して半導体チップ１０と基板１が電気的に連結されるようにする。
［発明の実施のための形態］
次に、図２を参照して、図１に例示されたような半導体チップが実装された基板の、ワイヤーボンディングが正常であるか否かを検査するシステムについて、詳しく説明する。
【００３０】
図２は、本発明の一実施形態に係るワイヤーボンディング検査システムの構成を説明するためのブロック図である。
【００３１】
図１および図２を参照すると、本発明に係るワイヤーボンディング検査システム１００は、チップ１０がボンディングされた基板１を２次元映像で撮影して、ワイヤー２０が正常に連結しているか否かを判断する。そのために、ワイヤーボンディング検査システム１００は、照明装置１１０と、カメラ１２０と、カメラ駆動部１３０と、映像処理部１４０と、保存部１５０と、正常判断部１６０と、出力部１７０と、制御部１８０とを含むことができる。
【００３２】
照明装置１１０は、カメラ１２０で正確な映像を撮影できるように基板１上に光を照射し、この時、照明装置１１０は、撮影された映像に影ができないように照度や位置を考慮して設置することが好ましい。
【００３３】
カメラ１２０は、チップ１０がボンディングされた基板１を２次元で撮影して基板撮影映像を生成する。カメラ１２０は、ＣＣＤカメラまたはＣＭＯＳカメラなどを使用することができる。そして、カメラ１２０は、基板１からの高さを異にして複数の基板撮影映像を生成することもできる。カメラ１２０が複数の基板撮影映像を生成する理由については、以下で詳しく説明する。
【００３４】
カメラ駆動部１３０は、制御部１８０の制御によりカメラ１２０の基板上の高さを調整して、複数の基板撮影映像を生成するようにする。
【００３５】
映像処理部１４０は、カメラ１２０で撮影された映像を処理して、ワイヤー別に検査対象ワイヤー部分を検出して、正常判断部１６０に伝達する。映像で所望の部分を検出する方法は、従来に知られたアルゴリズムを用いることができ、今後開発される新たなアルゴリズムを適用できることはもちろんである。例えば、ハフ変換（Ｈｏｕｇｈ  Ｔｒａｎｓｆｏｒｍ）アルゴリズムなどを通じて映像でラインを認識することもできる。
【００３６】
保存部１５０には、ワイヤー２０が正常に連結しているかを判断するための基準データが保存される。そして、保存部１５０には、実施形態により複数の基板撮影映像を撮影するためのカメラ高さデータが保存されてもよい。基準データとカメラ高さデータは、実施形態により多様な形態に提供され、検査現場で検査者により入力されるものとしてもよく、システム構築時に設計者により入力されるものとすることもできる。
【００３７】
正常判断部１６０は、ワイヤー２０の方向から求められる情報を基準データと比較して、ワイヤー２０の連結が正常であるか否かを判断する。正常判断部１６０でワイヤーの連結が正常であるか否かを判断する方法については以下で詳しく説明する。
【００３８】
出力部１７０は、ＬＣＤまたはＬＥＤモニターなどで具現することができ、映像処理部１４０で処理された映像と、正常判断部１６０で判断されたワイヤー２０の連結が正常であるか否かについての結果とを、表示することができる。正常でない連結部分がある場合、ワイヤーボンディングの連結が正常でない部分も、共に表示するように具現され得る。
【００３９】
制御部１８０は、ワイヤーボンディング検査システム１００の全般的な動作を制御し、特に、保存部１５０に保存されたカメラ高さデータにより、カメラ駆動部１３０を制御してカメラ１２０の高さを調整しながら、複数の基板撮影映像を獲得するようにできる。また、検査者の命令により、照明装置１１０を制御して照明を調節したり、保存部１５０に保存された基準データとカメラ高さデータとを変更したりすることもできる。
【００４０】
次に、図３を参照して本発明の第１実施形態に係るワイヤーボンディング検査方法を説明する。
【００４１】
図３は、本発明の第１実施形態に係るワイヤーボンディング検査方法を説明するための図面である。
【００４２】
図３を参照すると、映像処理部１４０は、チップ１０がボンディングされた基板１を撮影して獲得した基板撮影映像で、ワイヤー別に予め定められた検査対象ワイヤー部分（２０ａ、２０ｂ、…、２０ｎ−１、２０ｎ）を検出する。ワイヤー別に検出される検査対象ワイヤー部分は、少なくとも２部分以上であることが好ましい。
【００４３】
そして、正常判断部１６０は、検出された検査対象ワイヤー部分（２０ａ、２０ｂ、…、２０ｎ−１、２０ｎ）と、予め定められた基準（Ｐ）とのなす角度（以下、ワイヤー部分の角度とする）（θ２０ａ、θ２０ｂ、…、θ２０ｎ−１、θ２０ｎ）を、保存部１５０に保存された基準データと比較して、正常であるか否かを判断する。ここで、基準データは、各ワイヤー部分（２０ａ、２０ｂ、…、２０ｎ−１、２０ｎ）に対する正常連結角度（θａ、θｂ、…、θｎ−１、θｎ）を含む。ここで、正常連結角度とは、ワイヤーが予め定められた基準のとおりに正確にボンディングされた場合の角度を意味する。
【００４４】
正常判断部１６０は、ワイヤー部分（２０ａ、２０ｂ、…、２０ｎ−１、２０ｎ）の角度と正常連結角度との差が予め定められた基準の誤差許容範囲以内である場合、当該ワイヤー部分（２０ａ、２０ｂ、…、２０ｎ−１、２０ｎ）が正常に連結されたと判断することができる。
【００４５】
映像処理部１４０で検出される検査対象ワイヤー部分の個数（ｎ）および位置は、検査者またはシステム設計者により予め定められ得る。検査対象ワイヤー部分の個数（ｎ）が多くなるほど、検査正確度は高まるが、システム負荷が増加する点を勘案して適切に調整することができる。そして、検査対象ワイヤー２０の曲がりが大きいほど、検査対象ワイヤー部分の個数（ｎ）が多くなるように調整することができる。そして、検査対象ワイヤー２０が比較的に直線に近い場合は、ワイヤー２０の両端部に当該するボール部分（２０ａ）とスティッチ部分（２０ｎ）のみが、検査領域となるようにすることができる。
【００４６】
図４は、本発明の第２実施形態によるワイヤーボンディング検査方法を説明するための図面である。
【００４７】
図４を参照すると、映像処理部１４０は、チップ１０がボンディングされた基板１を撮影して獲得した基板撮影映像で、ワイヤー２０の両端部に当該するボール部分（２０ａ）と、スティッチ部分（２０ｎ）とを検出する。
【００４８】
そして、正常判断部１６０は、ボール部分（２０ａ）の角度とスティッチ部分（２０ｎ）の角度との差を基準データと比較して、ワイヤー２０の連結が正常であるか否かを判断する。例えば、ワイヤー２０のループ部２５がボール２１とスティッチ部２３とを直線で連結する場合は、映像処理部１４０で検出されたボール部分（２０ａ）の方向とスティッチ部分（２０ｎ）の方向とがなす角度は、図４（ａ）に例示したように１８０゜（または０゜）になる。しかしながら、製造工程または検査のための映像処理過程でワイヤー２０が正常に連結されても、ボール部分（２０ａ）の方向とスティッチ部分（２０ｎ）の方向とがなす角度が正確に１８０゜（または０゜）にならず、図４（ｂ）に例示したように一部誤差（θ）を有することがあり得る。
【００４９】
したがって、正常判断部１６０は、ボール部分（２０ａ）の方向とスティッチ部分（２０ｎ）の方向とがなす角度が誤差許容角度以内である場合、当該ワイヤー２０が正常に連結されたと判断することができる。
【００５０】
一方、誤差許容角度は、検査対象ワイヤー２０の長さが長くなるほど小さくなるように設定し、検査対象ワイヤー２０の長さが短くなるほど大きくなるように設定することができる。これはワイヤー２０の長さが長い場合には、ボール部分（２０ａ）の方向とスティッチ部分（２０ｎ）の方向が少しでも外れると、中間で連結されていない可能性が高まるためである。
【００５１】
なお、上記で説明した図３の実施形態と図４の実施形態の差異点は次のとおりである。図３の実施形態では、基準データはワイヤー部分（２０ａ、２０ｂ、…、２０ｎ−１、２０ｎ）別に存在しなければならない。しかしながら、図４の実施形態では、基準データは一つの誤差許容角度のみであればよく、多い場合でも、ワイヤー２０の長さを基準に適当な個数の誤差許容角度を有していればよい点に、差がある。
【００５２】
図３の実施形態では、基準データが比較的に複雑になるが、ワイヤーが曲がった場合でも検査可能な利点があり、図４の実施形態は、基準データは単純であるが、ワイヤーが曲がった場合には検査が難しいという点がある。
【００５３】
上記では、２次元で基板を撮影した映像を用いて、ワイヤーボンディングが正常であるか否かを判断する方法について説明した。
【００５４】
一方、基板に実装されるチップの種類が多くなる場合、カメラの深度のため、一つの基板撮影映像のみでは、基板に実装されたすべてのチップのワイヤーボンディングの良否を、正確に判断し難くなり得る。カメラ深度は、焦点が鮮明に捕捉される領域、つまり、焦点が合う空間の範囲の深さであり、深度を逸脱した領域は画像が鮮やかに結ばれない。したがって、基板に実装されるチップの種類が多くなって検査領域の高さが多様化する場合、カメラの撮影高さを多段階に調整して複数の基板撮影映像を獲得し、当該映像で焦点が合う検査領域に対して検査をしなければならない。
【００５５】
図５は、本発明の一実施形態に係るワイヤーボンディングシステムにより検査される基板を、側面で例示した図面である。
【００５６】
図５に例示したように、基板１上に実装された３個のチップ（Ａ、Ｂ、Ｃ）に対して、ワイヤー検査領域がそれぞれ３つずつあり、検査領域（Ａ１、Ｂ１、Ｃ１）は基板１上面（ｈ０）に位置し、検査領域（Ａ２）は基板１上の高さ（ｈ１）に位置し、検査領域（Ａ３、Ｂ２）は基板１上の高さ（ｈ２）に位置し、検査領域（Ｂ３、Ｃ２）は基板１上の高さ（ｈ３）に位置し、検査領域（Ｃ３）は基板１上の高さ（ｈ４）に位置することができる。カメラ１２０の深度が高さ（ｈ３）よりも大きい場合は、基板を１回のみ撮影すればよいが、カメラ１２０の深度（Ｄ）が図５に例示したとおりである場合、カメラ１２０の高さを調整して基板１を３回撮影しなければならない。つまり、カメラ１２０の深度（Ｄ）が高さ（ｈ３）よりも小さい場合は、検査領域に焦点が合うように、カメラ１２０の高さを異にして基板１を少なくとも２回撮影しなければならず、多い場合は基板１を５回撮影しなければならない。
【００５７】
カメラ高さデータは、ワイヤーボンディングティーチングデータや製品設計時のデータから、検査対象ワイヤー部分別の高さを求め、カメラ深度を用いて、可能な限り少ない撮影回数ですべての検査対象に対して焦点が合う基板撮影映像を獲得できるように設定されて、保存部１５０に事前に保存され得る。
【００５８】
図６は、本発明の一実施形態に係るワイヤーボンディング検査システムの動作を説明するためのフローチャートである。
【００５９】
まず、カメラ１２０を用いてワイヤーボンディング検査対象基板１を撮影して、基板撮影映像を獲得する（Ｓ６１０）。段階Ｓ６１０で複数の基板撮影映像が必要な場合（Ｓ６１５−Ｙ）、カメラ高さデータを用いてカメラ１２０の撮影高さを調整しながら、複数の基板撮影映像を獲得することができる（Ｓ６２０）。
【００６０】
次に、映像処理部１４０は、段階Ｓ６１０で獲得した基板撮影映像から検査対象ワイヤー部分を検出する（Ｓ６３０）。検査対象ワイヤー部分の位置に対する情報は予め保存部１５０に保存されていてもよい。
【００６１】
以降、正常判断部１６０は、検査対象ワイヤー部分の連結が正常であるか否かを基準データと比較して判断する（Ｓ６４０）。
【００６２】
段階Ｓ６４０は、図３に例示した実施形態では、検査領域別に検出されたワイヤー部分（２０ａ、２０ｂ、…、２０ｎ−１、２０ｎ）の角度を、当該ワイヤー部分（２０ａ、２０ｂ、…、２０ｎ−１、２０ｎ）の正常連結角度と比較して、二つの角度の差が誤差許容範囲以内である場合、正常に連結されていると判断することができる。
【００６３】
そして、図４に例示した実施形態では、ワイヤーのボール部分（２０ａ）の方向とスティッチ部分（２０ｎ）の方向とがなす角度が、誤差許容角度以内である場合、正常に連結されていると判断することができる。
【００６４】
最後に、出力部１７０は、段階Ｓ６４０で判定されたワイヤーボンディングが正常に連結されているかに関する検査結果を、出力する（Ｓ６５０）。段階Ｓ６５０で基板撮影映像も共に出力されることができ、正常でない連結部分がある場合、ワイヤーボンディングの連結が正常でない部分も共に表示することができる。
【００６５】
本発明の実施形態は、多様なコンピュータで具現される動作を行うためのプログラム命令を含むコンピュータで読み取り可能な媒体を含む。この媒体は、上記で説明したワイヤーボンディング検査方法を実行させるためのプログラムを記録する。この媒体は、プログラム命令、データファイル、データ構造などを単独でまたは組み合わせて含むことができる。このような媒体の例には、ハードディスク、フロッピディスクおよび磁気テープのような磁気媒体、ＣＤおよびＤＶＤのような光記録媒体、フロプティカルディスク（Ｆｌｏｐｔｉｃａｌ  Ｄｉｓｋ）のような磁気−光媒体、ＲＯＭ、ＲＡＭ、フラッシュメモリなどのようなプログラム命令を保存し遂行するように構成されたハードウェア装置などがある。あるいは、このような媒体は、プログラム命令、データ構造などを指定する信号を伝送する搬送波を含む光または金属線、導波管などの伝送媒体であり得る。プログラム命令の例には、コンパイラーにより作られるような機械語コードだけでなく、インタープリタなどを使用してコンピュータにより実行され得る高級言語コードを含む。
【００６６】
以上で、本発明の好ましい実施形態について詳細に説明したが、本発明の権利範囲はこれに限定されるのではなく、特許請求の範囲で定義している本発明の基本概念を利用した当業者の多様な変形および改良形態も本発明の権利範囲に属する。
【符号の説明】
【００６７】
１００…ワイヤーボンディング検査システム
１１０…照明装置
１２０…カメラ
１３０…カメラ駆動部
１４０…映像処理部
１５０…保存部
１６０…正常判断部
１７０…出力部
１８０…制御部
【図１】
0005913630.tif 000002
【図２】
0005913630.tif 000003
【図３】
0005913630.tif 000004
【図４】
0005913630.tif 000005
【図５】
0005913630.tif 000006
【図６】
0005913630.tif 000007